(57)【要約】【課題】２個の軸流ファンの間隔の最適化を図ることにより、室外機の低騒音化を図る。【解決手段】箱型のケーシング１内に、上下２個の軸流ファン６，６を配設してなる空気調和機用室外機において、前記各軸流ファン６の外径をＤ、前記ケーシング１内における空間部２の高さをＨ、前記両軸流ファン６，６における回転中心間の間隔をΔＬとし、Ｄ／Ｈが０．３４〜０．３８の範囲となるように設定したとき、ΔＬ／Ｈが０．４５〜０．４９の範囲となるように設定して、２個の軸流ファン６，６の間隔が最適範囲となるようにしている。【選択図】        図２
2004190992.tif 000002
【特許請求の範囲】
【請求項１】
箱型のケーシング（１）内に、上下２個の軸流ファン（６），（６）を配設してなる空気調和機用室外機であって、前記各軸流ファン（６）の外径をＤ、前記ケーシング（１）内における空間部（２）の高さをＨ、前記両軸流ファン（６），（６）における回転中心間の間隔をΔＬとし、Ｄ／Ｈが０．３４〜０．３８の範囲となるように設定したとき、ΔＬ／Ｈが０．４５〜０．４９の範囲となるように設定したことを特徴とする空気調和機用室外機。
【請求項２】
前記ケーシング（１）内には、前記軸流ファン（６），（６）および熱交換器（５）が配設される熱交換室（２）と、該熱交換室（２）の側方に位置して圧縮機（７）等が配設される機械室（３）とを仕切壁（４）により区画して形成したことを特徴とする前記請求項１記載の空気調和機用室外機。
【発明の詳細な説明】
【０００１】
【発明の属する技術分野】
本願発明は、２個の軸流ファンを備えた空気調和機用室外機に関するものである。
【０００２】
【従来の技術】
一般に、空気調和機用室外機は、箱型のケーシングを備え、該ケーシング内を熱交換器およびファンが配設される熱交換室と、圧縮機等が配設される機械室とに仕切壁で区画して構成されている。
【０００３】
上記構成の空気調和機用室外機において、大能力（即ち、大馬力）が必要な場合には、箱型のケーシング内に上下２個の軸流ファンを配設することとなっている。（例えば、特許文献１参照）。
【０００４】
【特許文献１】
特開２００２−９８３５５公報。
【０００５】
【発明が解決しようとする課題】
ところで、近年、空気調和機用室外機のコンパクト化が求められる傾向にあり、ケーシングが小さくなる傾向にある。
【０００６】
上記したようにケーシングが小さくなると、該ケーシング内に配設される２個の軸流ファンの間隔および軸流ファンとケーシング天面および底面との間隔が問題となる。
【０００７】
例えば、２個の軸流ファン間の間隔を狭くなると、２個の軸流ファンの干渉が強くなり、送風音が高くなるという不具合が発生する。また、２個の軸流ファンの間隔を大きくとり過ぎると、ケーシングの寸法に限りがあるところから、各軸流ファンとケーシング天面および底面との間隔が制限されることとなり、ケーシング天面および底面による偏流の影響が強くなる。その結果、送風音が上昇するという不具合が発生する。
【０００８】
本願発明は、上記の点に鑑みてなされたもので、２個の軸流ファンの間隔の最適化を図ることにより、室外機の低騒音化を図ることを目的としている。
【０００９】
【課題を解決するための手段】
本願発明では、上記課題を解決するための第１の手段として、箱型のケーシング１内に、上下２個の軸流ファン６，６を配設してなる空気調和機用室外機において、前記各軸流ファン６の外径をＤ、前記ケーシング１内における空間部２の高さをＨ、前記両軸流ファン６，６における回転中心間の間隔をΔＬとし、Ｄ／Ｈが０．３４〜０．３８の範囲となるように設定したとき、ΔＬ／Ｈが０．４５〜０．４９の範囲となるように設定している。
【００１０】
上記のように構成したことにより、２個の軸流ファン６，６の間隔が最適範囲となるところから、ケーシング天面１ａおよび底面１ｂの偏流による悪影響と２個の軸流ファン６，６間の干渉との合計が最も小さくなる。従って、室外機の送風音を可及的に低減することができる。なお、ΔＬ／Ｈが０．４９以上となると、軸流ファン６，６がケーシング天面１ａおよび底面１ｂに近づき過ぎることとなり、ケーシング天面１ａや底面１ｂによる偏流の影響が強くなり、送風音が上昇する。また、ΔＬ／Ｈが０．４５以下となると、軸流ファン６，６間の間隔が小さくなり過ぎて、軸流ファン６，６同士の干渉が激しくなり、送風音が上昇する。
【００１１】
本願発明では、さらに、上記課題を解決するための第２の手段として、上記第１の手段を備えた空気調和機用室外機において、前記ケーシング１内に、前記軸流ファン６，６および熱交換器５が配設される熱交換室２と、該熱交換室２の側方に位置して圧縮機７等が配設される機械室３とを仕切壁４により区画して形成することもでき、そのように構成した場合、ケーシング１の高さ寸法を大きくすることなく、機械室３を形成できることとなり、室外機のコンパクト化を図ることができる。
【００１２】
【発明の実施の形態】
以下、添付の図面を参照して、本願発明の好適な実施の形態について説明する。
【００１３】
この空気調和機用室外機は、図１ないし図３に示すように、箱型のケーシング１内を仕切壁４によって熱交換室２と機械室３とに区画し、前記熱交換室２には、横断面Ｌ字形状の熱交換器５と上下２個の軸流ファン６，６とが配設される一方、前記機械室３には、圧縮機７、レシーバ８、四路切換弁９および電気品箱１０が配設されている。前記ケーシング１には、前記熱交換室２の背面および側面となる部位に空気吸込口１１，１１が形成されるとともに、前記熱交換室２の前面となる部位に空気吹出口１２が形成されており、前記熱交換器５は、前記空気吸込口１１，１１に沿うようにして配設されている。また、前記仕切壁４は、円滑な吸込空気流Ｗが得られるように、熱交換室２側に凸な湾曲形状とされている。
【００１４】
前記軸流ファン６は、モータ台１３に支持されたファンモータ１４と、該ファンモータ１４により回転駆動される羽根車１５とからなっており、２個の軸流ファン６，６は、それぞれのモータ回転軸１４ａ，１４ａを水平姿勢として上下に配設されている。符号１６はベルマウス、１７は空気吹出口１２に設けられたファンガードである。
【００１５】
そして、この空気調和機用室外機においては、前記各軸流ファン６の外径をＤ、前記ケーシング１内における空間部（即ち、熱交換室２）の高さをＨ、前記両軸流ファン６，６における回転中心間の間隔をΔＬとし、Ｄ／Ｈが０．３４〜０．３８の範囲となるように設定したとき、ΔＬ／Ｈが０．４５〜０．４９の範囲となるように設定されている。
【００１６】
ところで、ΔＬ／Ｈが０．４９以上となると（換言すれば、軸流ファン６，６の回転中心間の間隔ΔＬが大きすぎると）、上方に位置する軸流ファン６がケーシング１の天面１ａに近づき過ぎるとともに、下方に位置する軸流ファン６がケーシング１の底面１ｂに近づき過ぎることとなる。その結果、ケーシング天面１ａやケーシング底面１ｂによる偏流の影響が強くなり、送風音が上昇することとなる。一方、ΔＨ／Ｌが０．４５以下となると、軸流ファン６，６間の間隔ΔＬが小さくなり過ぎて、軸流ファン６，６同士の干渉が激しくなり、送風音が上昇することとなる。
【００１７】
以上の理由から、ΔＬ／Ｈは、０．４５〜０．４９の範囲とするのが望ましく、そのようにすると、ケーシング天面１ａおよび底面１ｂの偏流による悪影響と２個の軸流ファン６，６間の干渉との合計が最も小さくなり、室外機の送風音を可及的に低減することができるのである。
【００１８】
ちなみに、外径Ｄ＝４７０ｍｍの軸流ファンと、空間部（即ち、熱交換室２）の高さＨ＝１３２０ｍｍ、幅Ｂ＝９００ｍｍのケーシングとを備えた空気調和機用室外機を用いて、ΔＬ／Ｈに対する送風音の変化を測定したところ、図４の結果が得られた。
【００１９】
上記結果からも明らかなように、ΔＬ／Ｈが０．４５〜０．４９の範囲において送風音が小さくなっていることが分かる。
【００２０】
また、本実施の形態におけるように、ケーシング１内に、軸流ファン６，６および熱交換器５が配設される熱交換室２と、該熱交換室２の側方に位置して圧縮機７等が配設される機械室３とを仕切壁４により区画して形成した場合、ケーシング１の高さ寸法を大きくすることなく、機械室３を形成できることとなり、室外機のコンパクト化を図ることができる。
【００２１】
【発明の効果】
本願発明の第１の手段によれば、箱型のケーシング１内に、上下２個の軸流ファン６，６を配設してなる空気調和機用室外機において、前記各軸流ファン６の外径をＤ、前記ケーシング１内における空間部２の高さをＨ、前記両軸流ファン６，６における回転中心間の間隔をΔＬとし、Ｄ／Ｈが０．３４〜０．３８の範囲となるように設定したとき、ΔＬ／Ｈが０．４５〜０．４９の範囲となるように設定して、２個の軸流ファン６，６の間隔が最適範囲となるようにしたので、ケーシング天面１ａおよび底面１ｂの偏流による悪影響と２個の軸流ファン６，６間の干渉との合計が最も小さくなり、室外機の送風音を可及的に低減することができるという効果がある。
【００２２】
本願発明の第２の手段におけるように、上記第１の手段を備えた空気調和機用室外機において、前記ケーシング１内に、前記軸流ファン６，６および熱交換器５が配設される熱交換室２と、該熱交換室２の側方に位置して圧縮機７等が配設される機械室３とを仕切壁４により区画して形成することもでき、そのように構成した場合、ケーシング１の高さ寸法を大きくすることなく、機械室３を形成できることとなり、室外機のコンパクト化を図ることができる。
【図面の簡単な説明】
【図１】本願発明の実施の形態にかかる空気調和機用室外機の正面図である。
【図２】図１のＩＩ−ＩＩ断面図である。
【図３】図１のＩＩＩ−ＩＩＩ断面図である。
【図４】空気調和機用室外機におけるΔＬ／Ｈと送風音とを対比した特性図である。
【符号の説明】
１はケーシング、１ａは天面、１ｂは底面、２は熱交換室（空間部）、３は機械室、４は仕切壁、５は熱交換器、６は軸流ファン、７は圧縮機。
【図１】
2004190992.tif 000003
【図２】
2004190992.tif 000004
【図３】
2004190992.tif 000005
【図４】
2004190992.tif 000006